Podtech/llm-jp-corpus-v4-ja_patent huggingface dataset:
【手続補正書】
【提出日】平成20年5月26日(2008.5.26)
【手続補正１】
【補正対象書類名】特許請求の範囲
【補正対象項目名】全文
【補正方法】変更
【補正の内容】
【特許請求の範囲】
【請求項１】
血清型ＡのＮ．ｍｅｎｉｎｇｉｔｉｄｉｓ由来の莢膜糖の結合体を含む組成物であって、  該結合体の分子サイズが５７．１Å±２０％であり、そして／または
該結合体の分子量が８８．５ｋＤａ±２０％である、
組成物。
【請求項２】
血清型ＣのＮ．ｍｅｎｉｎｇｉｔｉｄｉｓ由来の莢膜糖の結合体を含む組成物であって、  該結合体の分子サイズが５７．０Å±２０％であり、そして／または
該結合体の分子量が８５．２ｋＤａ±２０％である、
組成物。
【請求項３】
血清型Ｗ１３５のＮ．ｍｅｎｉｎｇｉｔｉｄｉｓ由来の莢膜糖の結合体を含む組成物であって、
該結合体の分子サイズが６８．７Å±２０％であり、そして／または
該結合体の分子量が１１０．１ｋＤａ±２０％である、
組成物。
【請求項４】
血清型ＹのＮ．ｍｅｎｉｎｇｉｔｉｄｉｓ由来の莢膜糖の結合体を含む組成物であって、  該結合体の分子サイズが６３．３Å±２０％であり、そして／または
該結合体の分子量が８４．７ｋＤａ±２０％である、
組成物。
【請求項５】
請求項１〜４に記載される結合体のうちの２つ以上を含む、組成物。
【請求項６】
２つのバッチのワクチンであって、ここで：
（ａ）両方のバッチのワクチンは：
（ｉ）血清型ＡのＮｅｉｓｓｅｒｉａ  ｍｅｎｉｎｇｉｔｉｄｉｓ由来の莢膜糖の結合体；
（ｉｉ）血清型ＣのＮｅｉｓｓｅｒｉａ  ｍｅｎｉｎｇｉｔｉｄｉｓ由来の莢膜糖の結合体；
（ｉｉｉ）血清型Ｗ１３５のＮｅｉｓｓｅｒｉａ  ｍｅｎｉｎｇｉｔｉｄｉｓ由来の莢膜糖の結合体；
（ｉｖ）血清型ＹのＮｅｉｓｓｅｒｉａ  ｍｅｎｉｎｇｉｔｉｄｉｓ由来の莢膜糖の結合体；
を含み；
（ｂ）第一バッチの血清型Ａの糖の分子サイズがＡ１であり、第二バッチの血清型Ａの糖の分子サイズがＡ２であり；
（ｃ）該第一バッチの血清型Ｃの糖の分子サイズがＣ１であり、該第二バッチの血清型Ｃの糖は分子サイズがＣ２であり；
（ｄ）該第一バッチの血清型Ｗ１３５の糖の分子サイズがＷ１であり、該第二バッチの血清型Ｗ１３５の糖は分子サイズがＷ２であり；
（ｅ）該第一バッチの血清型Ｙの糖の分子サイズがＹ１であり、該第二バッチの血清型Ｙの糖は分子サイズがＹ２であり；
（ｆ）Ａ１／Ａ２の比率、Ｃ１／Ｃ２の比率、Ｗ１／Ｗ２の比率、およびＹ１／Ｙ１の比率が各々、０．９０〜１．１０の間である、
ワクチン。
【請求項７】
２つのバッチのワクチンであって、ここで：
（ａ）両方のバッチのワクチンは：
（ｉ）血清型ＡのＮｅｉｓｓｅｒｉａ  ｍｅｎｉｎｇｉｔｉｄｉｓ由来の莢膜糖の結合体；
（ｉｉ）血清型ＣのＮｅｉｓｓｅｒｉａ  ｍｅｎｉｎｇｉｔｉｄｉｓ由来の莢膜糖の結合体；
（ｉｉｉ）血清型Ｗ１３５のＮｅｉｓｓｅｒｉａ  ｍｅｎｉｎｇｉｔｉｄｉｓ由来の莢膜糖の結合体；
（ｉｖ）血清型ＹのＮｅｉｓｓｅｒｉａ  ｍｅｎｉｎｇｉｔｉｄｉｓ由来の莢膜糖の結合体；
を含み；
（ｂ）第一バッチの血清型Ａの糖の分子量がＡ１であり、第二バッチの血清型Ａの糖の分子量がＡ２であり；
（ｃ）該第一バッチの血清型Ｃの糖の分子量がＣ１であり、該第二バッチの血清型Ｃの糖の分子量がＣ２であり；
（ｄ）該第一バッチの血清型Ｗ１３５の糖の分子量がＷ１であり、該第二バッチの血清型Ｗ１３５の糖の分子量がＷ２であり；
（ｅ）該第一バッチの血清型Ｙの糖の分子量がＹ１であり、該第二バッチの血清型Ｙの糖の分子量がＹ２であり；
（ｆ）Ａ１／Ａ２の比率、Ｃ１／Ｃ２の比率、Ｗ１／Ｗ２の比率、およびＹ１／Ｙ１の比率が各々、０．９０〜１．１０の間である、
ワクチン。
【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
未成熟の顆粒球成分を含む血液学の参照対照であって、以下の：
（ａ）ヒトの未成熟の顆粒球をシミュレートするための、処理された非ヒト血液細胞から作製された未成熟の顆粒球成分；及び
（ｂ）未成熟の顆粒球の測定のために、血液分析計に前記成分を送達するのに好適な懸濁媒、
を含む、前記参照対照。
【請求項２】
血液分析計で測定した場合、前記未成熟の顆粒球成分が、ヒト顆粒球のサイズ範囲の最大限のサイズよりも２％〜８５％大きいサイズ範囲にある、請求項１に記載の血液学の参照対照。
【請求項３】
前記未成熟の顆粒球成分が、鳥類、爬虫類又は魚類の赤血球から作製される、請求項２に記載の血液学の参照対照。
【請求項４】
成熟した白血球成分をさらに含む、請求項３に記載の血液学の参照対照。
【請求項５】
赤血球成分及び血小板成分、又は有核赤血球成分をさらに含む、請求項４に記載の血液学の参照対照。
【請求項６】
前記未成熟の顆粒球成分が、２つの異なる種の前記赤血球の混合物である、請求項３に記載の血液学の参照対照。
【請求項７】
未成熟の顆粒球成分を含む血液学の参照対照であって、以下の：
（ａ）血液分析計においてヒトの成熟した白血球をシミュレートする、成熟した白血球成分；
（ｂ）ヒトの未成熟の顆粒球をシミュレートするための、未成熟の顆粒球成分；及び
（ｃ）未成熟の顆粒球の測定のために、前記血液分析計に前記成分を送達するのに好適な懸濁媒、
を含む、前記参照対照。
【請求項８】
血液分析計で測定した場合、前記未成熟の顆粒球成分が、ヒト顆粒球のサイズ範囲の最大限のサイズよりも２％〜８５％大きいサイズ範囲にある、請求項７に記載の血液学の参照対照。
【請求項９】
前記未成熟の顆粒球成分が、鳥類、爬虫類又は魚類の赤血球から作製される、請求項８に記載の血液学の参照対照。
【請求項１０】
前記未成熟の顆粒球成分が、２つの異なる種の前記赤血球の混合物である、請求項９に記載の血液学の参照対照。
【請求項１１】
前記未成熟の顆粒球成分が、処理されたインビトロで増殖されたヒトの未成熟の顆粒球である、請求項８に記載の血液学の参照対照。
【請求項１２】
有核赤血球成分、赤血球成分及び血小板成分、又は網状赤血球成分をさらに含む、請求項８に記載の血液学の参照対照。
【請求項１３】
未成熟の顆粒球成分を含む血液学の参照対照であって、以下の：
（ａ）リンパ球成分としての、第一の種からの第一の処理された赤血球；
（ｂ）骨髄球成分としての、第二の種からの第二の処理された赤血球；
（ｃ）未成熟の顆粒球成分としての、第三の種からの第三の処理された赤血球；及び
（ｄ）未成熟の顆粒球の測定のために、血液分析計に前記成分を送達するのに好適な懸濁媒、
を含む、前記参照対照。
【請求項１４】
前記第一の種からの第一の処理された赤血球が、処理されたヒト赤血球である、請求項１３に記載の血液学の参照対照。
【請求項１５】
前記第二の種からの第二の処理された赤血球が、処理された鳥類の赤血球である、請求項１３に記載の血液学の参照対照。
【請求項１６】
前記第三の種からの第三の処理された赤血球が、処理された鳥類、爬虫類、または魚類の赤血球である、請求項１３に記載の血液学の参照対照。
【請求項１７】
前記未成熟の顆粒球成分が、処理されたインビトロで増殖されたヒト未成熟顆粒球から作製される、請求項１３に記載の血液学の参照対照。
【請求項１８】
有核赤血球成分、又は赤血球成分及び血小板成分をさらに含む、請求項１３に記載の血液学の参照対照。
【請求項１９】
未成熟の顆粒球成分を含む血液学の参照対照の使用方法であって、以下のステップ：
（ａ）未成熟の顆粒球成分を含む参照対照を提供し；
（ｂ）未成熟の顆粒球を分析するために適合された血液分析計を提供し；
（ｃ）前記未成熟の顆粒球成分の検出のために、前記血液分析計に前記参照対照を通し；そして、
（ｄ）前記参照対照中の前記未成熟の顆粒球成分を報告する、
を含む、前記方法。
【請求項２０】
ステップ（ｂ）において、前記未成熟の顆粒球の分析が、インピーダンス測定又は光学測定によって実施される、請求項１９に記載の方法。
【手続補正書】
【提出日】平成20年6月19日(2008.6.19)
【手続補正１】
【補正対象書類名】明細書
【補正対象項目名】００５７
【補正方法】変更
【補正の内容】
【００５７】
（ａ）（メタ）アクリル酸アルキル（そのアルキル部分は１〜１８個の炭素原子を有するのが好ましい）、特にアクリル酸メチル、アクリル酸エチル、アクリル酸プロピル、アクリル酸ｎ−ブチル、アクリル酸イソブチル、アクリル酸アミル、アクリル酸ラウリル、アクリル酸イソアミル、アクリル酸（２−エチルヘキシル）、アクリル酸オクチル、メタクリル酸メチル、メタクリル酸クロロエチル、メタクリル酸ブチル、メタクリル酸３，３−ジメチルブチル、メタクリル酸エチル、メタクリル酸イソブチル、メタクリル酸イソプロピル、メタクリル酸フェニル、クロロアクリル酸ブチル、クロロアクリル酸メチル、クロロアクリル酸エチル、クロロアクリル酸イソプロピル又はクロロアクリル酸シクロヘキシル。
【手続補正書】
【提出日】平成20年5月29日(2008.5.29)
【手続補正１】
【補正対象書類名】特許請求の範囲
【補正対象項目名】全文
【補正方法】変更
【補正の内容】
【特許請求の範囲】
【請求項１】
式(IA)又は(IB)：
【化１】
2008503447.tif 000001
［式中、
X1は-S-又は-CR7=N-(ここで、R7は水素又はC1-C3アルキルである)であり；
A1は水素又はメチルであり；
環Ar2はフェニル又はピリジルを表し；
環Ar3は任意に置換されていてもよいフェニルを表し；
R4及びR5は独立して水素又は１若しくはそれ以上の任意置換基を表す］
の化合物、又はその塩、水和物若しくは溶媒和物。
【請求項２】
X1が-S-である請求項１に記載の化合物。
【請求項３】
Ar2がフェニルを表す請求項１又は２に記載の化合物。
【請求項４】
A1が水素である請求項１〜３のいずれか１項に記載の化合物。
【請求項５】
任意置換基R4及びR5並びにAr3中の任意置換基が、フルオロ、クロロ、ブロモ、(C1-C3)アルキル、トリフルオロメチル、(C1-C3)アルコキシ、トリフルオロメトキシ、トリフルオロメチルチオ、ジメチルアミノ、シアノ、(C1-C3アルキル)SO2-、NH2SO2-、(C1-C3アルキル)NHSO2-、(C1-C3アルキル)2NSO2-、-CONRARB、及び-NRBCORA(ここで、RA及びRBは独立して水素又は(C1-C6)アルキル基であるか、或いはRA及びRBは同じＮ原子に連結して環式アミノ環を形成する)から選択される請求項１〜４のいずれか１項に記載の化合物。
【請求項６】
[2-ベンズヒドリル-4-(4-クロロフェニル)-チアゾール-5-イル]-酢酸、
[2-ベンズヒドリル-4-(4-フルオロ-フェニル)-チアゾール-5-イル]-酢酸、
[2-[1-(4-クロロ-フェニル)-2-フェニル-エチル]-4-(4-フルオロ-フェニル)-チアゾール-5-イル]-酢酸、
[4-(4-クロロ-フェニル)-2-[(4-クロロ-フェニル)-フェニル-メチル]-チアゾール-5-イル]-酢酸、
[2-[(4-クロロ-フェニル)-フェニル-メチル]-4-(4-フルオロ-フェニル)-チアゾール-5-イル]-酢酸、
[2-[ビス-(4-フルオロ-フェニル)-メチル]-4-(4-フルオロ-フェニル)-チアゾール-5-イル]-酢酸、
[4-(4-フルオロ-フェニル)-2-[(4-メトキシ-フェニル)-フェニル-メチル]-チアゾール-5-イル]-酢酸、
[4-(4-クロロ-フェニル)-2-[(4-メトキシ-フェニル)-フェニル-メチル]-チアゾール-5-イル]-酢酸、
[2-[(3,4-ジフルオロ-フェニル)-フェニル-メチル]-4-(4-フルオロ-フェニル)-チアゾール-5-イル]-酢酸、
[2-[ビス-(4-メトキシ-フェニル)-メチル]-4-(4-フルオロ-フェニル)-チアゾール-5-イル]-酢酸、
[2-ベンズヒドリル-4-(3-フルオロ-フェニル)-チアゾール-5-イル]-酢酸、
[2-[ビス-(4-フルオロ-フェニル)-メチル]-4-(3,4-ジフルオロ-フェニル)-チアゾール-5-イル]-酢酸、
[2-ベンズヒドリル-4-(3,4-ジフルオロ-フェニル)-チアゾール-5-イル]-酢酸、及び
[2-[ビス-(4-フルオロ-フェニル)-メチル]-4-(3-フルオロ-フェニル)-チアゾール-5-イル]-酢酸
並びにその塩、水和物及び溶媒和物からなる群より選択される化合物。
【請求項７】
請求項１〜６のいずれか１項に記載の化合物を、医薬的に許容され得るキャリアと共に含んでなる医薬組成物。
【請求項８】
CRTH2レセプター活性のモジュレーションに反応する疾患の処置用組成物の製造における請求項１〜６のいずれか１項に記載の化合物の使用。
【請求項９】
前記疾患がプロスタグランジンD2(PGD2)又はその１若しくはそれ以上の活性代謝物の上昇したレベルに関係する疾患である請求項８に記載の使用。
【請求項１０】
前記疾患が炎症性疾患、自己免疫疾患、呼吸器疾患、又はアレルギー性疾患である請求項８に記載の使用。
【請求項１１】
前記疾患が、喘息、鼻炎、アレルギー性気道症候群、アレルギー性鼻気管支炎、気管支炎、慢性閉塞性肺疾患(COPD)、鼻ポリポーシス、サルコイドーシス、農夫肺、肺線維症、嚢胞性線維症、慢性の咳、結膜炎、アトピー性皮膚炎、アルツハイマー病、筋萎縮性側索硬化症、AIDS痴呆複合体、ハンチントン病、前頭側頭痴呆、レヴィー小体痴呆、血管性痴呆、ギヤン‐バレー症候群、慢性脱髄性多発神経根ニューロパシー、多病巣性運動ニューロパシー、神経叢障害、多発性硬化症、脳脊髄炎、汎脳炎、小脳変性及び脳脊髄炎、CNS外傷、片頭痛、卒中、慢性関節リウマチ、強直性脊椎炎、ベーチェット病、滑液包炎、手根管症候群、炎症性腸疾患、クローン病、潰瘍性結腸炎、皮膚筋炎、エーレルス‐ダンロー症候群(EDS)、線維筋痛症、顔面筋疼痛、変形性関節症(OA)、骨壊死、乾癬性関節炎、ライター症候群(反応性関節炎)、サルコイドーシス、強皮症、シェーグレン症候群、軟組織疾患、スティル病、腱炎、結節性多発脈炎、ヴェーゲナー肉芽腫症、筋炎(多発性筋炎皮膚筋炎)、痛風、アテローム性動脈硬化症、エリテマトーデス、全身性エリテマトーデス(SLE)、Ｉ型糖尿病、腎炎症候群、糸球体腎炎、急性及び慢性の腎不全、好酸球性筋膜炎、高IgE症候群、敗血症、敗血症性ショック、心臓の虚血性再灌流傷害、移植後の同種移植拒絶、並びに対宿主性移植片病から選択される請求項８に記載の使用。
【請求項１２】
前記疾患が喘息、鼻炎、アレルギー性気道症候群、及びアレルギー性鼻気管支炎から選択される請求項８に記載の使用。
【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
夜間に膨脹感及びガス不快感を患う便秘患者を治療する薬剤を製造するためのシメチコンの使用。
【請求項２】
便秘患者が夜間に膨張感を患っている、請求項１に記載の使用。
【請求項３】
シメチコンの一日投与量が８０〜３００ｍｇである、請求項１又は２に記載の使用。
【請求項４】
シメチコンの一日投与量が９０〜２２０ｍｇである、請求項１〜３のいずれかに記載の使用。
【請求項５】
シメチコンの完全投与量が、患者が就寝する１〜５時間前に投与される、請求項１〜４のいずれかに記載の使用。
【請求項６】
シメチコンの完全投与量が、患者が就寝する約３時間前に投与される、請求項１〜５のいずれかに記載の使用。
【請求項７】
ビサコジル、ピコサルフェートナトリウム及びマクロゴールからなる群より選ばれる緩下剤が、組み合わされた形態、又は別々に、又は別々かつ順次的に同時投与され、順次的投与は時間において接近しているか又は時間において離れている、請求項１〜６のいずれかに記載の使用。
【請求項８】
２〜２０ｍｇのビサコジルが、組み合わされた形態、又は別々に、又は別々かつ順次的に同時投与され、順次的投与は時間において接近している、請求項１〜７のいずれかに記載の使用。
【請求項９】
有効量のシメチコンを含む、便秘患者の膨張感を治療するための医薬組成物。
【請求項１０】
８０〜３００ｍｇのシメチコンと、２〜２０ｍｇのビサコジルと、１種以上の医薬的に許容しうる担体及び助剤とを、シメチコンが便秘に対するビサコジルの効果を増強又は低減させることなく膨張感を低減させる様式で含んでなる医薬組成物。
【請求項１１】
２つの異なる種類の顆粒を含み、一方の顆粒はシメチコンの放出の速い顆粒であり、他方の顆粒は徐放性顆粒形態にあるビサコジルである、請求項１０に記載の医薬組成物。
【請求項１２】
少なくとも２つの区画を含む、膨張感を患う便秘患者を治療する薬剤を製造するための部品キットであって、
（ａ）８０〜３００ｍｇのシメチコンと、医薬的に許容しうる担体及び／又は助剤とを含む一方の区画、
（ｂ）２〜２０ｍｇのビサコジルと、１種以上の医薬的に許容しうる担体及び／又は助剤とを含む他方の区画
を含む部品キット。
【請求項１３】
（ａ）８０〜３００ｍｇのシメチコンを即時放出性組成物の形態で含む区画、
（ｂ）２〜２０ｍｇのビサコジルを徐放性組成物の形態で含む区画
を含む、請求項１２に記載の部品キット。
【請求項１４】
製品であって、
該製品中に含まれ、便秘患者の膨張感を治療するのに有効な組成物である包装材料を含み、
該包装材料が該組成物を使用して夜間の便秘患者の膨張感を治療できることを示すラベルを含み、
該組成物がシメチコンを含む、前記製品。
【請求項１５】
シメチコンの一日投与量が約２１０ｍｇである、請求項４に記載の使用。
【手続補正書】
【提出日】平成20年6月9日(2008.6.9)
【手続補正１】
【補正対象書類名】特許請求の範囲
【補正対象項目名】全文
【補正方法】変更
【補正の内容】
【特許請求の範囲】
【請求項１】
卵巣ガン、原発性腹膜ガン、および卵管ガンからなる群より選択されるプラチナ耐性ガンを処置するための方法に用いるための、トラスツズマブよりも効果的にＨＥＲの二量体化を阻害するＨＥＲ２抗体を含む医薬組成物であって、該方法が、患者に、該医薬組成物と、代謝拮抗化学療法剤とを、それぞれ該ガンを処置するのに有効量投与することを含む医薬組成物。
【請求項２】
ＨＥＲ２抗体がＨＥＲ２のドメインＩＩに結合する、請求項１記載の医薬組成物。
【請求項３】
ＨＥＲ２抗体がパーツズマブである、請求項１記載の医薬組成物。
【請求項４】
代謝拮抗化学療法剤がゲムシタビンである、前記請求項１〜３のいずれか一項記載の医薬組成物。
【請求項５】
患者由来の腫瘍試料がＨＥＲ活性化を示す、前記請求項１〜４のいずれか一項記載の医薬組成物。
【請求項６】
患者由来の腫瘍試料がＨＥＲ２活性化を示す、請求項５記載の医薬組成物。
【請求項７】
代謝拮抗化学療法剤のみで処置された患者に比較して生存の改善が結果として生じる、前記請求項１〜６のいずれか一項記載の医薬組成物。
【請求項８】
代謝拮抗化学療法剤のみで処置された患者に比較して進行のない生存の改善が結果として生じる、請求項７記載の医薬組成物。
【請求項９】
代謝拮抗化学療法剤のみで処置された患者に比較して全生存の改善が結果として生じる、請求項７記載の医薬組成物。
【請求項１０】
客観的反応が結果として生じる、前記請求項のいずれか一項記載の医薬組成物。
【請求項１１】
完全反応が結果として生じる、請求項１０記載の医薬組成物。
【請求項１２】
部分反応が結果として生じる、請求項１０記載の医薬組成物。
【請求項１３】
ＨＥＲ２抗体が、約８４０mgのローディング用量に続いて、約３週間毎に約４２０mgとして投与される、前記請求項１〜１２のいずれか一項記載の医薬組成物。
【請求項１４】
ＨＥＲ２抗体が、約３週間毎に投与される約１０５０mgの間の用量として投与される、請求項１〜１２のいずれか一項または複数項記載の医薬組成物。
【請求項１５】
ゲムシタビンが３週間サイクルの１日目および８日目に約６００mg/m2から１２５０mg/m2の間の用量で投与される、請求項４記載の医薬組成物。
【請求項１６】
代謝拮抗化学療法剤がＨＥＲ２抗体の投与の前または後に投与される、前記請求項１〜１５のいずれか一項記載の医薬組成物。
【請求項１７】
代謝拮抗化学療法剤の少なくとも１回の投与およびＨＥＲ２抗体の少なくとも１回の投与の間のタイミングが約１か月以下である、請求項１６記載の医薬組成物。
【請求項１８】
代謝拮抗化学療法剤の少なくとも１回の投与およびＨＥＲ２抗体の少なくとも１回の投与の間のタイミングが約２週間以下である、請求項１７記載の医薬組成物。
【請求項１９】
代謝拮抗化学療法剤およびＨＥＲ２抗体が単一製剤または別々の製剤として患者に同時投与される、請求項１〜１５のいずれか一項記載の医薬組成物。
【請求項２０】
ガンがＨＥＲ２を過剰発現しない、請求項１記載の医薬組成物。
【請求項２１】
患者に第２の化学療法剤を投与することをさらに含む、前記請求項１〜２０のいずれか一項記載の医薬組成物。
【請求項２２】
第２の化学療法剤が、タキサン、カペシタビン、プラチナ系化学療法剤、アントラサイクリン、リポソームドキソルビシン、トポテカン、ペメトレキセド、ビンカアルカロイド、およびＴＬＫ２８６からなる群より選択される、請求項２１記載の医薬組成物。
【請求項２３】
代謝拮抗化学療法剤とＨＥＲ２抗体との組み合わせを用いた処置の結果として、患者に相乗的な、または相加的よりも大きい治療上の利益が生じる、前記請求項１〜２２のいずれか一項記載の医薬組成物。
【請求項２４】
ゲムシタビンとＨＥＲ２抗体との組み合わせを用いた処置の結果として、患者に相乗的な、または相加的よりも大きい利益が生じる、請求項４記載の医薬組成物。
【請求項２５】
ＨＥＲ２抗体がネイキッドな抗体である、前記請求項１〜２４のいずれか一項記載の医薬組成物。
【請求項２６】
ＨＥＲ２抗体がインタクトな抗体である、前記請求項１〜２５のいずれか一項記載の医薬組成物。
【請求項２７】
ＨＥＲ２抗体が、抗原結合領域を含む抗体フラグメントである、請求項１〜２５のいずれか一項記載の医薬組成物。
【請求項２８】
ガンが卵巣ガンである、前記請求項１〜２７のいずれか一項記載の医薬組成物。
【請求項２９】
ガンが原発性腹膜ガンである、請求項１〜２７のいずれか一項記載の医薬組成物。
【請求項３０】
ガンが卵管ガンである、請求項１〜２７のいずれか一項記載の医薬組成物。
【請求項３１】
卵巣ガン、原発性腹膜ガン、および卵管ガンからなる群より選択されるプラチナ耐性ガンを処置するための方法であって、患者に、ＨＥＲ２のヘテロ二量体結合部位に結合するＨＥＲ２抗体とゲムシタビンとを、それぞれ該ガンの処置に有効量投与することを含む医薬組成物。
【請求項３２】
抗体が、ＨＥＲ２とＥＧＦＲまたはＨＥＲ３とのヘテロ二量体化を遮断する、請求項３１記載の医薬組成物。
【請求項３３】
卵巣ガン、原発性腹膜ガン、および卵管ガンからなる群より選択されるプラチナ耐性ガンを処置するための方法に用いるための、ＨＥＲ２のドメインＩＩに結合するＨＥＲ２抗体を含む医薬組成物であって、該方法が、該ＨＥＲ２抗体とゲムシタビンとを、それぞれ該ガンの処置に有効量投与することを含む、医薬組成物。
【請求項３４】
ＨＥＲ２のドメインＩ、ＩＩ、およびＩＩＩの間の結合部に結合する、請求項３３記載の医薬組成物。
【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
有効量のＡｐｏ-２リガンドレセプターアゴニストおよびＮＫ細胞ないしはＮＫ細胞活性化剤を含んでなる、哺乳動物細胞のアポトーシスまたは細胞障害性を亢進するための薬剤。
【請求項２】
前記Ａｐｏ-２リガンドレセプターアゴニストがＡｐｏ-２リガンドポリペプチドを含有してなる、請求項１に記載の薬剤。
【請求項３】
前記哺乳動物細胞が癌細胞である、請求項１に記載の薬剤。
【請求項４】
前記哺乳動物細胞がウイルスに感染しているないしは細菌感染細胞である、請求項１に記載の薬剤。
【請求項５】
前記Ａｐｏ-２リガンドポリペプチドが配列番号：２のアミノ酸３９から２８１またはその生物学的に活性な断片を含有してなる、請求項２に記載の薬剤。
【請求項６】
前記Ａｐｏ-２リガンドポリペプチドが配列番号：２のアミノ酸１１４から２８１を含有してなる、請求項５に記載の薬剤。
【請求項７】
前記Ａｐｏ-２リガンドポリペプチドが一又は複数のポリエチレングリコール(ＰＥＧ)分子に連結されたものである、請求項５に記載の薬剤。
【請求項８】
前記Ａｐｏ-２リガンドレセプターアゴニストがアゴニストの抗Ａｐｏ-２リガンドレセプター抗体である、請求項１に記載の薬剤。
【請求項９】
前記アゴニストの抗体が抗ＤＲ４抗体を含有してなる、請求項８に記載の薬剤。
【請求項１０】
前記アゴニストの抗体が抗ＤＲ５抗体を含有してなる、請求項８に記載の薬剤。
【請求項１１】
前記抗ＤＲ４抗体がキメラ抗体、ヒト化抗体またはヒト抗体である、請求項９に記載の薬剤。
【請求項１２】
前記抗ＤＲ５抗体がキメラ抗体、ヒト化抗体またはヒト抗体である、請求項１０に記載の薬剤。
【請求項１３】
前記ＮＫ細胞がドナー哺乳動物から精製したＮＫ細胞である、請求項１に記載の薬剤。
【請求項１４】
前記ＮＫ細胞活性化剤が、Ｔｏｌｌレセプター活性化剤、ＩＬ-２、ＩＬ-１２、ＩＬ-１５、ＩＦＮ-αおよびＩＦＮ-βからなる群から選択されるものである、請求項１に記載の薬剤。
【請求項１５】
前記ＮＫ細胞活性化剤が、ＮＫｐ３０、ＮＫｐ４４、ＮＫＧ２Ｄなどの活性化レセプターに対するアゴニスト抗体からなる群から選択されるものである、請求項１に記載の薬剤。
【請求項１６】
ａ．請求項１に記載の薬剤を収容する容器；と
ｂ．哺乳動物細胞のアポトーシスまたは細胞障害性を亢進するための指示を有するパッケージ挿入物
とを具備してなる製造品。
【請求項１７】
さらに、製薬的に許容可能なバッファを収容する第２の容器を具備する、請求項１６に記載の製造品。
【手続補正書】
【提出日】平成20年6月13日(2008.6.13)
【手続補正１】
【補正対象書類名】特許請求の範囲
【補正対象項目名】全文
【補正方法】変更
【補正の内容】
【特許請求の範囲】
【請求項１】
化学的リンカー、ポリペプチド、及び抗体からなる群から選択される一つを含むカップリング部分上の第一の部位へアミド結合連結を介してつながった第一の接着部分、及び
カップリング部分上の第二の部位へアミド結合を介してつながっている第二の接着部分
を含む、生体適合性組織シーリング組成物であって、
このとき第一及び第二の接着部分が、肺においてエラスターゼを産生する異なる部位へ接着し、かつ独立してアルファ−１アンチトリプシン、エラフィン、及びセルピンからなる群から選択される一つを含む、組成物。
【請求項２】
肺においてエラスターゼを産生する異なる部位が、上皮粘液を含む、請求項１記載の生体適合性組織シーリング組成物。
【請求項３】
化学的リンカーが、２つの官能基を含む、請求項１記載の生体適合性組織シーリング組成物。
【請求項４】
官能基の少なくとも一つが、カルボキシル基、エステル基、アミン基、又はリシン基である、請求項３記載の生体適合性組織シーリング組成物。
【請求項５】
第一及び第二の接着部分が、同一である、請求項１記載の生体適合性組織シーリング組成物。
【請求項６】
第一及び第二の接着部分が、異なる、請求項１記載の生体適合性組織シーリング組成物。
【請求項７】
それぞれの接着部分が、化学的リンカーを介してカップリングしている、請求項１記載の生体適合性組織シーリング組成物。
【請求項８】
第一及び／又は第二の接着部分が、アルファ−１アンチトリプシン部分を含む、請求項１記載の生体適合性組織シーリング組成物。
【請求項９】
第一及び／又は第二の接着部分が、エラフィン部分を含む、請求項１記載の生体適合性組織シーリング組成物。
【請求項１０】
第一及び／又は第二の接着部分が、セルピン部分を含む、請求項１記載の生体適合性組織シーリング組成物。
【請求項１１】
組成物が、多糖又は炭水化物部分を含まない、請求項１記載の生体適合性組織シーリング組成物。
【請求項１２】
組成物が、変異型プラスミノーゲン活性化因子阻害剤１型を含まない、請求項１記載の生体適合性組織シーリング組成物。
【請求項１３】
接着部分が、細胞表面マーカー又はＥＭＣ構成要素に接着する、請求項１記載の生体適合性組織シーリング組成物。
【請求項１４】
熱安定化グルタルアルデヒドを含む、架橋化部分；
医薬として許容可能な担体；
アルブミン；及び
デキストラン
を含む、生体適合性組織シーリング組成物。
【請求項１５】
医薬として許容される担体が、グルタミン酸ナトリウム、マンニトール、デキストロース、塩酸システイン、及びリポソームからなる群から選択される一つを含む、請求項１４記載の生体適合性組織シーリング組成物。
【請求項１６】
アルブミンが、動物から単離されたものである、請求項１４記載の生体適合性組織シーリング組成物。
【請求項１７】
アルブミンが、ブタから単離されたものである、請求項１４記載の生体適合性組織シーリング組成物。
【請求項１８】
アルブミンが、ヒトから単離されたものである、請求項１４記載の生体適合性組織シーリング組成物。
【請求項１９】
アルブミンが、ウシから単離されたものである、請求項１４記載の生体適合性組織シーリング組成物。
【請求項２０】
アルブミンが、組換え体である、請求項１４記載の生体適合性組織シーリング組成物。
【手続補正書】
【提出日】平成20年6月11日(2008.6.11)
【手続補正１】
【補正対象書類名】特許請求の範囲
【補正対象項目名】全文
【補正方法】変更
【補正の内容】
【特許請求の範囲】
【請求項１】
（ａ）酸重縮合触媒の存在下にて少なくとも約１５０℃の温度で、１，３−プロパンジオール、１，３−プロパンジオール二量体および１，３−プロパンジオール三量体またはその混合物からなる群から選択されるジオールを含む反応体を重縮合して、ポリトリメチレンエーテルグリコール反応混合物を得る工程、
（ｂ）前記酸重縮合触媒を中和し、かつ中和されたポリトリメチレンエーテルグリコール反応混合物を得るのに十分な量で、実質的に水不溶性の塩基を前記反応混合物に添加する工程、
（ｃ）約０．１５０ダーシー以下の透過性を有する濾過助剤と、前記中和された反応混合物を接触させる工程、および
（ｄ）前記濾過助剤から前記ポリトリメチレンエーテルグリコールを分離して、ポリトリメチレンエーテルグリコールを得る工程、
を含む、ポリトリメチレンエーテルグリコールを製造する方法。
【請求項２】
請求項１に記載の方法によって製造される、数平均分子量約２００〜約１，０００を有するポリトリメチレンエーテルグリコール。
【請求項３】
数平均分子量約２００〜約１，０００を有し、かつ非ヒドロキシルまたは非オレフィン末端基約０〜約１０ミリ当量／ｋｇを含有する、ポリトリメチレンエーテルグリコール。
【手続補正２】
【補正対象書類名】明細書
【補正対象項目名】００７０
【補正方法】変更
【補正の内容】
【００７０】
本発明の実施形態の前述の開示内容は、例示および説明のために示されている。網羅的であること、あるいは開示されている正確な形態に本発明を限定することを意図するものではない。本明細書に記載の実施形態の多くの変更および修正が、開示内容に照らして、当業者には明らかであるだろう。
次に、本発明の好ましい態様を示す。
1.  （ａ）酸重縮合触媒の存在下にて少なくとも約１５０℃の温度で、１，３−プロパンジオール、１，３−プロパンジオール二量体および１，３−プロパンジオール三量体またはその混合物からなる群から選択されるジオールを含む反応体を重縮合して、ポリトリメチレンエーテルグリコール反応混合物を得る工程、
（ｂ）前記酸重縮合触媒を中和し、かつ中和されたポリトリメチレンエーテルグリコール反応混合物を得るのに十分な量で、実質的に水不溶性の塩基を前記反応混合物に添加する工程、
（ｃ）約０．１５０ダーシー以下の透過性を有する濾過助剤と、前記中和された反応混合物を接触させる工程、および
（ｄ）前記濾過助剤から前記ポリトリメチレンエーテルグリコールを分離して、ポリトリメチレンエーテルグリコールを得る工程、
を含む、ポリトリメチレンエーテルグリコールを製造する方法。
2.  前記反応体が、１，３−プロパンジオールを９０重量％以上含む、請求項１に記載の方法。
3.  分離工程（ｄ）の前に、前記中和されたポリトリメチレンエーテルグリコール反応混合物を乾燥させる工程をさらに含む、請求項１または２に記載の方法。
4.  分離工程（ｄ）の後に、減圧で蒸留することによって未反応の反応体を除去する工程をさらに含む、請求項１〜３のいずれか一項に記載の方法。
5.  前記重縮合工程（ａ）が、約１５０℃〜約２００℃の温度で行われる、請求項１〜４のいずれか一項に記載の方法。
6.  前記酸重縮合触媒が、ブレンステッド酸、ルイス酸および超酸からなる群から選択される、請求項１〜５のいずれか一項に記載の方法。
7.  前記酸重縮合触媒が、硫酸、ヨウ化水素酸、フルオロスルホン酸、ｐ−トルエンスルホン酸、ベンゼンスルホン酸、メタンスルホン酸、トリフルオロメタンスルホン酸、１，１，２，２−テトラフルオロエタンスルホン酸、および１，１，１，２，３，３−ヘキサフルオロプロパンスルホン酸からなる群から選択される、請求項１〜５に記載の方法。
8.  前記重縮合触媒が硫酸である、請求項７に記載の方法。
9.  前記重縮合触媒が、前記反応体の重量を基準にして約０．１重量％〜約１重量％の量で使用される、請求項１〜８のいずれか一項に記載の方法。
10.  前記重縮合触媒が、前記反応体の重量を基準にして約０．２５重量％〜約０．７５重量％の量で使用される、請求項９に記載の方法。
11.  前記実質的に水不溶性の塩基が、アルカリ土類金属水酸化物、アルカリ土類金属酸化物、およびアルカリ土類金属炭酸塩からなる群から選択される、請求項１〜１０のいずれか一項に記載の方法。
12.  前記実質的に水不溶性の塩基が、水酸化カルシウム、酸化カルシウム、炭酸カルシウム、水酸化マグネシウム、酸化マグネシウム、炭酸マグネシウム、炭酸バリウム、酸化バリウムおよび水酸化バリウムからなる群から選択される、請求項１〜１０に記載の方法。
13.  前記不溶性塩基が、水酸化カルシウムを含む、請求項１〜１０に記載の方法。
14.  前記濾過助剤が、珪藻岩、真珠岩およびセルロースからなる群から選択される、請求項１〜１３のいずれか一項に記載の方法。
15.  前記濾過助剤が、珪藻岩を含む、請求項１４に記載の方法。
16.  前記濾過助剤が、約０．０４０〜約０．１４０ダーシーの透過性を有する、請求項１〜１５のいずれか一項に記載の方法。
17.  工程（ｃ）の前記接触および工程（ｄ）の前記分離が、濾過助剤でコーティングされた濾紙を通して、前記中和された反応混合物を濾過することを含む、請求項１〜１６のいずれか一項に記載の方法。
18.  工程（ｃ）の前記接触が、前記中和された反応混合物に、濾過助剤を添加することを含む、請求項１〜１６に記載の方法。
19.  前記分離工程（ｄ）が濾過を含む、請求項１８に記載の方法。
20.  前記分離工程（ｄ）が遠心分離を含む、請求項１８に記載の方法。
21.  前記ポリトリメチレンエーテルグリコールが、前記触媒から誘導された末端基約０〜約１０ミリ当量／ｋｇを含有する、請求項１〜２０のいずれか一項に記載の方法。
22.  前記ポリトリメチレンエーテルグリコールが、硫黄約０〜約１０ｐｐｍを含有する、請求項１〜２１のいずれか一項に記載の方法。
23.  請求項１〜２２のいずれか一項に記載の方法によって製造される、数平均分子量約２００〜約１，０００を有するポリトリメチレンエーテルグリコール。
24.  数平均分子量約２００〜約１，０００を有し、かつ非ヒドロキシルまたは非オレフィン末端基約０〜約１０ミリ当量／ｋｇを含有する、ポリトリメチレンエーテルグリコール。
【手続補正書】
【提出日】平成20年6月20日(2008.6.20)
【手続補正１】
【補正対象書類名】明細書
【補正対象項目名】発明の名称
【補正方法】変更
【補正の内容】
【発明の名称】シート材料及びシート材料に曲線の不連続部を形成する方法
【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
９０〜１３０ｍｇのアミノグリコシド系抗生物質を含有するドライパウダーエアゾル組成物を含む、気管支感染症の治療用のキットであって、ここで該ドライパウダーエアゾル組成物は、気管支感染症の患者の気管支系に対して、２０〜３６日間の第一治療期間に１日１〜３回投与される、キット。
【請求項２】
前記第一治療期間の後に、前記患者の気管支系にアミノグリコシド系抗生物質を投与しない第二の治療休止期間を設ける、請求項１に記載のキット。
【請求項３】
前記アミノグリコシド系抗生物質が、ゲンタマイシン、アミカシン、カナマイシン、ストレプトマイシン、ネオマイシン、ネチルミシンおよびトブラマイシン、あるいはそれらの薬学的に受容可能な塩からなる群から選択される、請求項１に記載のキット。
【請求項４】
前記アミノグリコシド系抗生物質が、トブラマイシンまたはその薬学的に受容可能な塩である、請求項３に記載のキット。
【請求項５】
前記エアゾルパウダー組成物が、１００〜１２０ｍｇのトブラマイシンを含有する、請求項４に記載のキット。
【請求項６】
前記エアゾルパウダー組成物が、１１０〜１１５ｍｇのトブラマイシンを含有する、請求項５に記載のキット。
【請求項７】
前記患者に投与される前記エアゾルパウダー組成物が、２〜６個の用量単位に分割されている、請求項１に記載のキット。
【請求項８】
前記患者に投与される前記エアゾルパウダー組成物が、３〜５個の用量単位に分割されている、請求項７に記載のキット。
【請求項９】
前記エアゾルパウダー組成物が、４個の用量単位に分割されている、請求項８に記載のキット。
【請求項１０】
前記第二の治療休止期間が、２０〜３６日間である、請求項２に記載のキット。
【請求項１１】
前記第一の治療期間が、２６〜３０日間である、請求項２に記載のキット。
【請求項１２】
前記第二の治療休止期間が、２６〜３０日間である、請求項１１に記載のキット。
【請求項１３】
前記第一の治療期間が、２８日間である、請求項２に記載のキット。
【請求項１４】
前記第二の治療休止期間が、２６〜３０日間である、請求項１３に記載のキット。
【請求項１５】
前記第一の治療期間の治療の後に、前記第二の治療休止期間を設ける治療レジメンを複数回繰返す、請求項２に記載のキット。
【請求項１６】
前記パウダーが、空気力学的粒径域１〜５μｍの粒子を少なくとも５０％含有する、請求項２に記載のキット。
【請求項１７】
前記患者が、嚢胞性線維症患者である、請求項２に記載のキット。
【請求項１８】
前記嚢胞性線維症患者が、シュードモナス属菌による気管支感染症に罹患している、請求項１７に記載のキット。
【請求項１９】
前記ドライパウダーエアゾル組成物が、ドライパウダー吸入器を用いて前記患者に投与される、請求項１に記載のキット。
【請求項２０】
前記ドライパウダーエアゾル組成物が、前記ドライパウダー吸入器内の単一容器に分配され、前記パウダーが、前記容器から前記吸入器によって前記患者の肺内に送達される、請求項１９に記載のキット。
【請求項２１】
前記パウダーが、前記ドライパウダー吸入器内の複数容器に分配され、前記パウダーが、前記容器から前記吸入器によって前記患者の肺内に送達される、請求項２０に記載のキット。
【請求項２２】
１１０〜１１５ｍｇのトブラマイシン抗生物質を含有するドライパウダーエアゾル組成物を含む、気管支感染症に罹患した嚢胞性線維症患者の治療用のキットであって、ここで該ドライパウダーエアゾル組成物は、該患者の気管支系に対して、２８日間の第一治療期間に１日２回投与され、該患者の気管支系にトブラマイシン抗生物質が投与されない２６〜３０日間の第二の治療休止期間を設け、そして該第一および該第二の治療期間が繰返される、キット。
【請求項２３】
前記患者に投与される前記ドライパウダーエアゾル組成物が、３〜５個の用量単位に分割されている、請求項２２に記載のキット。
【請求項２４】
前記ドライパウダーエアゾル組成物が、４個の用量単位に分割されている、請求項２３に記載のキット。
【請求項２５】
前記嚢胞性線維症患者が、シュードモナス属菌による気管支感染症に罹患している、請求項２２に記載のキット。
【請求項２６】
前記第一および前記第二の治療期間が、複数回繰返される、請求項２２に記載のキット。
【手続補正書】
【提出日】平成20年6月12日(2008.6.12)
【手続補正１】
【補正対象書類名】特許請求の範囲
【補正対象項目名】全文
【補正方法】変更
【補正の内容】
【特許請求の範囲】
【請求項１】
患者の癌の状態と免疫療法レジメンとを適合させる方法であって、
該患者の腫瘍組織を、事前に選択されたパネル中の２つ以上の発現された腫瘍関連抗原（ＴｕＡＡ）に関して検査し、該腫瘍に関する抗原プロファイルを求める工程であって、前記２つ以上のＴｕＡＡが腫瘍関連間質細胞によって発現される抗原を含む工程、及び
前記プロファイルに基づいて免疫療法レジメンを選択する工程
を含み、前記免疫療法レジメンが、前記プロファイル中の２つ以上の抗原を標的とする１つ以上の免疫療法剤を投与することを含む方法。
【請求項２】
前記ＴｕＡＡの少なくとも１つが、癌精巣抗原、組織特異的抗原、癌胎児性抗原、分化抗原、成長因子、成長因子受容体、接着因子、シグナル伝達タンパク質、転写因子、癌遺伝子産物、腫瘍抑制遺伝子産物及び微生物抗原から成る群より選択される、請求項１に記載の方法。
【請求項３】
前記事前に選択されたパネルが、ＳＳＸタンパク質、ＳＳＸ−２、ＳＳＸ−４、ＭＡＧＥタンパク質、ＭＡＧＥ−１、ＭＡＧＥ−３、ＰＲＡＭＥ、ＮＹ−ＥＳＯ−１、ＬＡＧＥ、ＰＳＭＡ、ＰＳＣＡ、ＳＣＰ−１、ｍｅｌａｎ−Ａ／ＭＡＲＴ−１及びチロシナーゼから成る群より選択される２つ以上の抗原を含み、且つ前記癌の状態は癌腫である、請求項１に記載の方法。
【請求項４】
前記癌腫が、乳房、結腸直腸、前立腺、膵臓、肺、卵巣、腎細胞及びメラニン細胞から成る群より選択される、請求項３に記載の方法。
【請求項５】
前記免疫療法剤が、能動免疫療法薬である、請求項１に記載の方法。
【請求項６】
前記免疫療法剤が、少なくとも１つの前記発現されたＴｕＡＡの少なくとも１つのセグメントを含む又はコードする、請求項１に記載の方法。
【請求項７】
前記免疫療法剤が、受動免疫療法薬である、請求項１に記載の方法。
【請求項８】
前記免疫療法剤が、モノクローナル抗体である、請求項７に記載の方法。
【請求項９】
病気の経過中の異なる時点で行われる少なくとも２つの検査工程をさらに含み、該検査工程から比較情報を得る、請求項１に記載の方法。
【請求項１０】
前記得られた情報が、療法を実施、変更又は中断するのに使用される、請求項９に記載の方法。
【請求項１１】
前記腫瘍がメラノーマであり、且つＴｕＡＡの前記パネルが、チロシナーゼ、ｍｅｌａｎ−Ａ／ＭＡＲＴ−１、ＮＹ−ＥＳＯ−１、ＰＲＡＭＥ、ＳＳＸタンパク質及びＭＡＧＥタンパク質から成る群より選択される少なくとも２つのＴｕＡＡを含む、請求項１に記載の方法。
【請求項１２】
前記ＳＳＸタンパク質がＳＳＸ−２又はＳＳＸ−４である、請求項１１に記載の方法。
【請求項１３】
前記ＭＡＧＥタンパク質がＭＡＧＥ−１又はＭＡＧＥ−３である、請求項１１に記載の方法。
【請求項１４】
前記腫瘍が乳癌であり、且つＴｕＡＡの前記パネルが、ＮＹ−ＥＳＯ−１、Ｈｅｒ２／ｎｅｕ、ＳＳＸタンパク質及びＭＡＧＥタンパク質から成る群より選択される少なくとも２つのＴｕＡＡを含む、請求項１に記載の方法。
【請求項１５】
前記腫瘍が結腸直腸癌であり、且つＴｕＡＡの前記パネルが、ＣＥＡ、ＳＳＸタンパク質、ＰＲＡＭＥ、ＮＹ−ＥＳＯ、ＬＡＧＥ、ＰＳＣＡ、ＳＣＰ−１、ＰＳＭＡ及びＭＡＧＥタンパク質から成る群より選択される少なくとも２つのＴｕＡＡを含む、請求項１に記載の方法。
【請求項１６】
前記腫瘍が肺癌であり、且つＴｕＡＡの前記パネルが、ＰＳＭＡ、ＮＹ−ＥＳＯ−１、ＳＳＸ−２及びＭＡＧＥタンパク質から成る群より選択される少なくとも２つのＴｕＡＡを含む、請求項１に記載の方法。
【請求項１７】
前記腫瘍が前立腺癌であり、且つＴｕＡＡの前記パネルが、ＮＹ−ＥＳＯ−１、ＰＳＡ、ＰＳＣＡ、ＰＳＭＡ、ＳＳＸタンパク質及びＭＡＧＥタンパク質から成る群より選択される少なくとも２つのＴｕＡＡを含む、請求項１に記載の方法。
【請求項１８】
前記腫瘍が卵巣癌であり、且つＴｕＡＡの前記パネルが、ＰＲＡＭＥ、ＰＳＭＡ、ＰＳＣＡ、ＭＡＧＥタンパク質、ＳＣＰ−１、ＳＳＸタンパク質、ＣＥＡ、Ｈｅｒ−２／Ｎｅｕ、ＮＹ−ＥＳＯ−１及びＬＡＧＥから成る群より選択される少なくとも２つのＴｕＡＡを含む、請求項１に記載の方法。
【請求項１９】
前記卵巣癌が、漿液性癌腫、非漿液性癌腫、粘液性（細胞）癌腫及び明細胞癌腫から成る群より選択される、請求項１８に記載の方法。
【請求項２０】
前記腫瘍が腎臓癌であり、且つＴｕＡＡの前記パネルが、ＳＳＸタンパク質、ＰＲＡＭＥ、ＮＹ−ＥＳＯ、ＬＡＧＥ、ＰＳＣＡ、ＳＣＰ−１、ＰＳＭＡ及びＭＡＧＥタンパク質から成る群より選択される少なくとも２つのＴｕＡＡを含む、請求項１に記載の方法。
【請求項２１】
前記腫瘍が膵臓癌であり、且つＴｕＡＡの前記パネルが、ＳＳＸタンパク質、ＰＲＡＭＥ、ＮＹ−ＥＳＯ、ＬＡＧＥ、ＰＳＣＡ、ＰＳＭＡ及びＭＡＧＥタンパク質から成る群より選択される少なくとも２つのＴｕＡＡを含む、請求項１に記載の方法。
【請求項２２】
抗原発現が、ＲＴ−ＰＣＲ、転写決定、タンパク質決定、エピトープ決定又はこれらの
組合せの少なくとも１つを含む技術により検出される、請求項１に記載の方法。
【請求項２３】
少なくとも１つの発現された腫瘍関連抗原が、新生細胞抗原、腫瘍関連間質抗原又はその両方である、請求項１に記載の方法。
【請求項２４】
前記腫瘍関連間質抗原が新生血管系関連抗原である、請求項２３に記載の方法。
【請求項２５】
前記新生血管系関連抗原がＰＳＭＡであり、且つ前記新生細胞抗原がＮＹ−ＥＳＯ−１、ＳＳＸ−２、ＬＡＧＥ及びＰＲＡＭＥから成る群より選択される、請求項２４に記載の方法。
【請求項２６】
前記腫瘍組織が原発腫瘍組織を含む、請求項１に記載の方法。
【請求項２７】
前記腫瘍組織が転移性腫瘍組織を含む、請求項１に記載の方法。
【請求項２８】
前記免疫療法レジメンが、能動免疫療法剤と受動免疫療法剤との両方を投与することを含む、請求項１に記載の方法。
【請求項２９】
前記腫瘍により発現される前記２つ以上の抗原が、新生細胞により発現される抗原及び腫瘍関連間質細胞により発現される抗原を含む、請求項１に記載の方法。
【請求項３０】
前記免疫療法剤が節内投与に適している、請求項１に記載の方法。
【請求項３１】
前記免疫療法剤が患者のリンパ系への直接投与に適している、請求項１に記載の方法。
【請求項３２】
前記免疫療法剤が免疫増強アジュバントを含む、請求項１に記載の方法。
【請求項３３】
前記癌の状態が腫瘍の種類、組織起源抗原プロファイル、及びその組み合わせにより分類された腫瘍を含む、請求項１に記載の方法。
【手続補正書】
【提出日】平成20年2月1日(2008.2.1)
【手続補正１】
【補正対象書類名】明細書
【補正対象項目名】特許請求の範囲
【補正方法】変更
【補正の内容】
【特許請求の範囲】
【請求項１】  車両懸架のための油圧システムにおいて、前記油圧システムが前記車両懸架のロール制御構成部品の一部であり、前部油圧ラム手段と後部油圧ラム手段と、前記前後部油圧ラム手段が複動油圧ラムでありシリンダー部とピストン部を有し、ピストン部でシリンダー部を第一と第二のチャンバに仕切っており、
使用において、前部油圧ラム手段の前記第一のチャンバと後部油圧ラム手段の前記第一のチャンバの間に延びて、それによって、第一の流体空間を形成する第一の流体ラインと、使用において、前部油圧ラム手段の前記第二のチャンバと後部油圧ラム手段の前記第二のチャンバの間に延びて、それによって、第二の流体空間を形成する第二の流体ラインとを含み、
少なくとも一つのアキュムレータ手段は少なくとも一つの前記流体空間と流体流量制限手段を介して流体連通し、前記アキュムレータ手段はシール気体室と少なくとも一つの前記流体空間と流体流量制限手段を通じて流体連通する流体室を備え、かくして気体室の容積が時間の経過に伴って変化し、少なくとも流体空間と気体室の間の圧力を実質的に均等化することにより流体空間内の圧力変化を最小にするものであり、
ここで、前記流体流量制限手段は、車両の急旋回の際には気体室の容積の変化がほとんどないように、流体室と対応する少なくとも一つの流体空間の間の前記流体流通による流体流量を制限するのに適したものである、前記油圧システム。
【請求項２】  請求項１に記載の油圧システムにおいて、油圧ラムがスルーロッドタイプであることを特徴とする油圧システム。
【請求項３】  請求項１に記載の油圧システムにおいて、アキュムレータ手段が拡張アキュムレータを含み、流体流量制限手段が拡張アキュムレータを第一と第二の流体ラインとそれぞれ相互接続することを特徴とする油圧システム。
【請求項４】  請求項３に記載の油圧システムにおいて、拡張アキュムレータが気体室と流体室に可撓性の膜によって分離された空洞を含み、流体室が第一と第二の流体ラインで流体連通していることを特徴とする油圧システム。
【請求項５】  請求項１に記載の油圧システムにおいて、アキュムレータ手段が両方の流体空間に連通することを特徴とする油圧システム。
【請求項６】  請求項１に記載の油圧システムにおいて、油圧システムは各流体空間に別個のアキュムレータ手段を具備することを特徴とする油圧システム。
【請求項７】  請求項１乃至６のいずれか一つに記載の油圧システムにおいて、流体流量制限手段がそれぞれのアキュムレータ手段を前記それぞれの流体空間に相互接続する毛細管の形をとることを特徴とする油圧システム。
【請求項８】  請求項１乃至７のいずれか一つに記載の油圧システムにおいて、さらに少なくとも一つのアキュムレータ手段と流体空間の間に位置する弁手段を含むことを特徴とする油圧システム。
【請求項９】  請求項８に記載の油圧システムにおいて、弁手段がソレノイドと閉鎖弁位置と開放弁位置の間に往復運動可能な弁部材を含み、弁部材が弾性手段によって閉鎖位置に付勢され、ソレノイドが作動することによって弁部材が開放弁位置に向かって移動して、弁手段が開き、それによって流体空間とアキュムレータ手段の間に流体連通を付与することを特徴とする油圧システム。
【請求項１０】  請求項９に記載の油圧システムにおいて、旋回の間弁手段が閉じることができるように、車両の旋回を感知するためのセンサー手段をさらに含むことを特徴とする油圧システム。
【請求項１１】  請求項１による油圧システムを含む車両懸架のためのロール制御構成部品であって、前記ロール制御構成部品は前部と後部のロール安定器バーを含み、それぞれの安定器バーは、それぞれの車両の車輪組み立て品を相互連結し、前部と後部の油圧ラム手段は前部と後部のロール安定器バーをそれぞれ車両の本体に相互接続することを特徴とするロール制御構成部品。
【請求項１２】  請求項１１に記載のロール制御構成部品において、前記ロール安定器バーの少なくとも一つが油圧ラムの相互連結点からバーまでバーに沿って横方向に離隔された旋回点で車両に旋回自在に取り付けられ、旋回点は車両の横および長手方向軸の両方の軸周りにバーの回転を可能にするように配置され、同時に一切の方向のバー旋回点の並進を実質的に阻止され、長手方向車両軸周りのバーの回転が、前記バーと車両本体の間の、油圧ラム手段の変位によって決定されることを特徴とするロール制御構成部品。
【請求項１３】  請求項１２に記載のロール制御構成部品において、前記ロール安定器バーの少なくとも一つがドロップリンクによって車両本体に取り付けられていることを特徴とするロール制御構成部品。
【請求項１４】  請求項１による車両懸架のための油圧システムであって、前記懸架のための前記ロール制御構成部品は前部と後部のロール安定器バー組立品を含み、各安定器バー組立品は少なくとも一つの油圧ラム手段を含み、前記各組立品は車両の車輪組立品のそれぞれを流体連通し、前記油圧ラムはそれぞれ第１と第２の流体空間を形成する第１と第２の流体ラインにより流体連通されて、車両本体に対して車両の反対側における車輪の、反対側車輪に対する動きが流体空間の一つにおける流体を圧縮するように作用し、そして車輪の対角線上の反対側の一対の車輪の、対角線上に反対の他の一対の車輪に対する動きが油圧回路内の流体を循環させ、かくしてワープ運動を可能とする前記システム。
【手続補正書】
【提出日】平成19年12月4日(2007.12.4)
【手続補正１】
【補正対象書類名】明細書
【補正対象項目名】００８３
【補正方法】変更
【補正の内容】
【００８３】
配列番号：61は、14kDaタンパク質をコードするPS185FF1由来のDNA配列である。
【手続補正２】
【補正対象書類名】明細書
【補正対象項目名】００８４
【補正方法】変更
【補正の内容】
【００８４】
配列番号：62は、PS185FF1の14kDaタンパク質のアミノ酸配列である。
【手続補正３】
【補正対象書類名】明細書
【補正対象項目名】００８５
【補正方法】変更
【補正の内容】
【００８５】
配列番号：63は、44kDaのタンパク質のPS185FF1由来の部分的DNA配列である。
【手続補正４】
【補正対象書類名】明細書
【補正対象項目名】００８６
【補正方法】変更
【補正の内容】
【００８６】
配列番号：64は、PS185FF1の44kDaタンパク質の部分的アミノ酸配列である。
【手続補正５】
【補正対象書類名】明細書
【補正対象項目名】０１９８
【補正方法】変更
【補正の内容】
【０１９８】
本発明に係る有用な微生物は、合衆国イリノイ州61604ピオリア市ノース大学通り1815、北部地域研究センター、農業研究サービス特許培養物コレクション(NRRL)の永久コレクションに寄託されている。寄託されている株の培養容器番号は次の通りである。
2003509018.tif 000001
【手続補正６】
【補正対象書類名】明細書
【補正対象項目名】０３２７
【補正方法】変更
【補正の内容】
【０３２７】
次の株では、ハイブリダイゼーションで陽性反応が確認された。PS184M2、PS185GG、PS187G1、PS187Y2、PS201G、PS201HH2、PS242K10、PS69Q、KB54A1-6、KR136、KR589、PS185L12、PS185W3、PS185Z11、PS186L9、PS187L14、PS186FF、PS131W2、PS147U2、PS158T3、PS158X10、PS185FF1、PS187F3、PS198H3、PS201H2、PS201L3、PS203G2、PS203J1、PS204C3、PS204G4、PS204I11、PS204J7、PS210B、PS213E8、PS223L2、PS224F2、PS236B6、PS246P42、PS247C16、KR200、KR331、KR625、KR707、KR959、KR1209、KR1369、KB2C-4、KB10H-5、KB456、KB42C17-13、KB45A43-3、KB54A33-1、KB58A10-3、KB59A54-4、KB59A54-5、KB53B7-8、KB53B7-2、KB60F5-7、KB60F5-11、KB59A58-4、KB60F5-15、KB61A18-1、KB65A15-2、KB65A15-3、KB65A15-7、KB65A15-8、KB65A15-12、KB65A14-1、KB3F-3、T25、KB53A71-6、KB65A11-2、KB68B57-1、KB63A5-3、およびKB71A118-6。